(57)【要約】      （修正有）【課題】浴室の演出照明効果を向上させる為浴室に隣接する脱衣所照明を浴室内に設置された浴室リモコンにて制御する照明システムにおいて、浴室から出る際に、脱衣所の照明を浴室リモコンにて再点灯させ忘れていた場合でも、浴室内に戻ることなく、即時脱衣所の照明を点灯させる手段を提供する。【解決手段】浴室１０内に演出光を照らしだす演出照明７０と、前記浴室に隣接する脱衣所２０を明るくする脱衣所照明８０と、を備える浴室照明システムを備える浴室であって、前記浴室は前記脱衣所からの入り口として透光性扉３０を有するとともに、前記脱衣所側照明部を消灯状態に可能な操作部を前記浴室内に備えるとともに、その消灯状態を解除する操作部を前記浴室側と前記脱衣所側にそれぞれ有する。【選択図】図１
2012204056.tif 000002
【特許請求の範囲】
【請求項１】
浴室内に演出光を照らしだす演出照明と、
前記浴室に隣接する脱衣所を明るくする脱衣所照明と、
を備える浴室照明システムを備える浴室であって、
前記浴室は前記脱衣所からの入り口として透光性扉を有するとともに、
前記脱衣所側照明部を消灯状態に可能な操作部を前記浴室内に備えるとともに、
その消灯状態を解除する操作部を前記浴室側と前記脱衣所側に
それぞれ有することを特徴とする浴室照明システムを備える浴室。
【発明の詳細な説明】
【技術分野】
【０００１】
本発明は、浴室と脱衣所の照明を制御する浴室照明システムを備える浴室に関する。
【背景技術】
【０００２】
特許文献１には、浴室を演出するスポット照明と、浴室照明と、隣接する脱衣所の照明を浴室内からコントロールする浴室照明システムが開示されている。
このシステムでは、浴室に居ながらにして、浴室にある照明の状態を変えることができ、非常に使い勝手が良かった。
【先行技術文献】
【特許文献】
【０００３】
【特許文献１】特開２００３−１７３８８３号公報
【発明の概要】
【発明が解決しようとする課題】
【０００４】
浴室で演出照明を使用する際には、浴室照明を消灯状態とすると、演出効果をより高める事が可能となるが、隣室の脱衣所から透光性を有する扉を通して脱衣所の照明光が浴室側に漏れてしまう。
すると、せっかく浴室照明を消灯し、その暗い中で演出照明の演出効果を効果的に視覚で感じることができたのに、浴室内に脱衣所の照明光が入ることで、暗くない状態で演出照明が点灯してしまうこととなり、演出照明の演出効果が低下するとの課題があった。
また、ここで脱衣所から浴室へ入る際の扉を透光性でなくす、ということも対応策として考えられるが、その場合は浴室内での人の動きを脱衣所にいる人が感じることができないなど、もし浴室内にいる人に異常事態を生じても外部から感じることができないという不具合があり良くない。
【０００５】
そういう時のために、特許文献１には、浴室内のリモコンにて演出照明点灯時に浴室照明および脱衣所照明を消灯し、演出効果を高める浴室照明システムが開示されているが、浴室内リモコンにて脱衣所照明を消灯させたまま浴室外に出た場合、即時脱衣所照明を点灯させる為には再度浴室に入り、浴室内リモコンを操作する必要があった。
ここで、浴室内にいる際に脱衣所側からの照明を消灯させ、外部からの照明を遮断し、浴室内の演出照明を効果的に照らした場合、その演出照明の効果に酔いしれ、浴室内の人は十分リラックスしていい気分になってしまうので、浴室から出るときに脱衣所の照明を消灯したことを解除することを忘れてしまう。すなわち脱衣所に出たところで、はじめてその脱衣所が暗く、脱衣所での作業を行う際に不具合を生じてしまうことに気づくことになってしまう。
【０００６】
本発明は、上述した課題に鑑みてなされたものであり、浴室から出る時に、浴室内リモコンにて脱衣所の照明を再度点灯させ忘れていた場合であっても、浴室内に戻ることなく、即時脱衣所の照明を点灯させることができる。
【課題を解決するための手段】
【０００７】
浴室内に演出光を照らしだす演出照明と、
前記浴室に隣接する脱衣所を明るくする脱衣所照明と、
を備える浴室照明システムを備える浴室であって、
前記浴室は前記脱衣所からの入り口として透光性扉を有するとともに、
前記脱衣所側照明部を消灯状態に可能な操作部を前記浴室内に備えるとともに、
その消灯状態を解除する操作部を前記浴室側と前記脱衣所側に
それぞれ有することを特徴とする浴室照明システムを備える浴室。
【発明の効果】
【０００８】
本発明によれば、浴室内リモコンにて脱衣所照明を消灯させたまま浴室外に出た場合に、即時脱衣所照明を点灯することが可能な照明システムを提供することができる。
【図面の簡単な説明】
【０００９】
【図１】本発明に係わる、照明システムの実施例を示す概略構成図
【図２】本発明に係わる、照明システムの実施例を示す浴室内リモコン概略図
【図３】本発明に係わる、照明システムの実施例を示す概略回路図
【発明を実施するための形態】
【００１０】
以下、添付図面を参照しながら本発明の実施形態について説明する。説明の理解を容易にするため、各図面において同一の構成要素に対しては可能な限り同一の符号を付して、重複する説明は省略する。
【００１１】
図１に、脱衣所照明の切替方法の実施例を示す概略構成図を示す。
浴室１０には脱衣所２０からの入り口として透光性扉を有する透光性を有する浴室扉３０が設けられている。浴室１０には、浴室１０内での行動に必要な照度を確保する為の浴室照明４０と天井に取り付けられ浴槽５０中の浴槽水に向けて青色の演出光を照らしだす演出照明７０が設けられている。
【００１２】
入浴中に波打つ浴槽５０中の浴槽水へ青色の光が照射される事で波と共に変化する青色の光がリラックスさせる空間を生み出す事が出来る。
【００１３】
脱衣所２０には、脱衣所２０内を明るくする脱衣所照明８０が設けられている。浴室１０内の浴槽側壁面には入浴中に浴室照明４０と演出照明７０と脱衣所照明８０の一時点灯または一時消灯を切り替える、第１の操作部である制御リモコン６１が設けられている。脱衣所２０内の浴室１０との間仕切壁には浴室照明４０を入切する為の第２の操作部である浴室照明スイッチ９０が設けられている。脱衣所２０外には脱衣所照明８０を入切する為の脱衣所照明スイッチ１００が設けられている。また、浴室１０の天井上には浴室照明４０、演出照明７０および脱衣所照明８０の一時点灯または一時消灯を可能とする制御部制御装置６０が設けられている。
【００１４】
図２に、制御リモコン６１のスイッチの配置図を示す。制御リモコン６１には、制御開始するスイッチ６２と、演出照明を一時入するスイッチ６３と、浴室照明を一時切するスイッチ６４と、脱衣所照明を一時切することが可能な操作部を備えるスイッチ６５を有する。
【００１５】
入浴者が脱衣所２０に入室する際に脱衣所２０内の照度を確保する為に脱衣所照明スイッチ１００を入とし、脱衣所照明８０を点灯させる。また、脱衣の後、浴室１０内の照度を確保する為に浴室照明スイッチ９０を入とし、浴室照明４０を点灯させる。浴室１０に入室し、入浴者が演出照明７０を楽しみたい場合、制御開始するスイッチ６２を押し、続けて演出照明を一時入するスイッチ６３を押す。演出照明を一時入するスイッチ６３を押すと演出照明７０が点灯する。
【００１６】
演出照明７０の演出効果をより高める為には、浴室照明４０を一時切するスイッチ６４を押し、浴室照明４０を一時消灯させる。浴室照明４０が消灯すると相対的に演出照明７０の照明光が際立ち演出効果が高まる。さらに演出照明７０の演出効果をより高める為には、脱衣所照明８０を一時切するスイッチ６５を押し、脱衣所照明８０を消灯させる。脱衣所照明８０が消灯すると浴室扉３０から浴室１０内に漏れる光が減ることにより、相対的に演出照明７０の照明光が際立ち演出効果がより高まる。
【００１７】
図３に本システム実施例の概略回路図を示す。浴室照明スイッチ９０を入にすると、制御装置６０に通電され、同時に浴室照明４０が点灯する。制御装置リモコン６１の制御開始するスイッチ６２を押すと、制御開始するスイッチ６２に内蔵されたＬＥＤを光らせ、制御可能状態を示す。続けて演出照明を一時入するスイッチ６３を押すと制御装置６０内のノーマルオープンリレーがクローズ状態となり、浴室演出照明７０が点灯する。再度、浴室演出照明７０を一時入するスイッチ６３を押すとノーマルオープンリレーがオープン状態となり、浴室演出照明７０が消灯する。浴室演出照明７０の点灯時には浴室演出照明７０を一時入するスイッチ６３に内蔵されたＬＥＤを光らせ、点灯状態を目視可能とする。また、浴室照明４０を一時切するスイッチ６４を押すと、制御装置６０内のノーマルクローズリレーがオープン状態となり、浴室照明４０が消灯する。再度、浴室照明４０を一時切するスイッチ６４を押すと、ノーマルクローズリレーがクローズ状態となり、浴室照明４０が点灯する。浴室照明４０の点灯時には浴室照明４０を一時切するスイッチ６４に内蔵されたＬＥＤを光らせ、点灯状態を目視可能とする。脱衣所照明８０を一時切するスイッチ６５を押すと、制御装置６０内のノーマルクローズリレーがオープン状態となり、脱衣所照明８０が消灯する。再度、脱衣所照明８０を一時切するスイッチ６５を押すと、ノーマルクローズリレーがクローズ状態となり、脱衣所照明８０が点灯する。脱衣所照明８０を一時切しない場合には、脱衣所照明８０を一時切するスイッチ６５に内蔵されたＬＥＤを光らせ、一時切を解除した場合には前記ＬＥＤを消灯する。なお、制御装置リモコン６１の制御開始するスイッチ６２を再度押すと、制御開始するスイッチ６２に内蔵されたＬＥＤを消灯し、各リレーはノーマル状態に復帰する。
【００１８】
脱衣所照明スイッチ１００を入とし、制御装置リモコン６１の制御開始するスイッチ６２を押し、制御可能状態にて、脱衣所照明８０を一時切させ、脱衣所照明８０の一時切解除を忘れて浴室１０から脱衣所２０に移動する際、浴室照明スイッチ９０を切とすることで、制御装置６０への通電が停止し、制御装置６０内の各リレーはノーマル状態に復帰する為、脱衣所照明８０を一時切していたノーマルクローズリレーのオープン状態がクローズ状態となり、脱衣所照明８０が点灯する。
【００１９】
この為、浴室１０から出る時に、脱衣所２０の脱衣所照明８０を点灯させ忘れていた場合であっても、浴室１０内に戻ることなく、即時脱衣所２０の脱衣所照明８０を点灯させることができる。これにより、浴室１０から脱衣所２０に出たところで、はじめてその脱衣所２０が暗いことに気が付き、脱衣所２０から浴室１０に戻って脱衣所照明８０を再点灯させる必要がなくなる。  
【００２０】
また同時に浴室照明４０の一時切していたノーマルクローズリレーもクローズ状態となるが、浴室照明スイッチ９０が切となっているため、浴室照明４０は消灯状態である。
【符号の説明】
【００２１】
１０…浴室、２０…脱衣所、３０…浴室扉、４０…浴室照明、５０…浴槽、６０…制御装置、６１…制御装置リモコン、６２…制御開始するスイッチ、６３…演出照明を一時入するスイッチ、６４…浴室照明を一時切するスイッチ、６５…脱衣室照明を一時切するスイッチ、７０…演出照明、８０…脱衣所照明、９０…浴室照明スイッチ、１００…脱衣所照明スイッチ
【図１】
2012204056.tif 000003
【図２】
2012204056.tif 000004
【図３】
2012204056.tif 000005